(57)【要約】【課題】極めて簡易でシンプルな構成でありながら、ピックが指に密着して全く滑らずに実体的にピックと指とを一体に結合することができることにより演奏者の演奏性を著しく向上させ得る弦楽器用ピックの滑り止め部材及び当該滑り止め部材有する弦楽器用ピックを提供する。【解決手段】弦楽器用ピック１の弦当接部近傍５を除く把持部分６を覆う第１の筒状部３と親指７を挿通するための第２の筒状部４とを有し、第１の筒状部３と第２の筒状部４とは略直交する位置関係に形成されている弦楽器用ピックの滑り止め部材８。【選択図】図４
2008310011.tif 000002
【特許請求の範囲】
【請求項１】
弦楽器用ピックのピック本体部の少なくとも一方の面に於ける弦当接部近傍を除く領域部であって、当該弦当接部近傍が当該弦楽器の演奏者の親指の側面部に対向する様に、当該親指が当該ピック本体部に当接される際の当該親指軸に沿った当該領域部に於ける所定部位である把持部分の全面に亘って着脱自在に接触配置されていることを特徴とする弦楽器用ピックの滑り止め部材。
【請求項２】
当該弦楽器用ピックの弦当接部近傍を除く当該把持部分を覆う第１の筒状部と親指を挿通するための第２の筒状部とを有し、前記第１の筒状部と第２の筒状部とは略直交する位置関係に形成されていることを特徴とする請求項１に記載の弦楽器用ピックの滑り止め部材。
【請求項３】
第１の筒状部と第２の筒状部とは一体に形成されていることを特徴とする請求項２に記載の弦楽器用ピックの滑り止め部材。
【請求項４】
当該弦楽器用ピックの弦当接部近傍を除く当該把持部分を覆う筒状部を有することを特徴とする請求項１に記載の弦楽器用ピックの滑り止め部材。
【請求項５】
当該弦楽器用ピックはサムピックであって、当該サムピックの本体部及び指巻部とから構成されており、当該弦当接部近傍を除く本体部の当該把持部分と当該指巻部とを個別に或は全体的に覆う筒状部を有することを特徴とする請求項１又は４に記載の弦楽器用ピックの滑り止め部材。
【請求項６】
当該筒状部は、伸縮性、伸び強度、柔軟性および摩擦力を有する粘弾性部材にて形成されていることを特徴とする請求項２乃至５の何れかに記載の弦楽器用ピックの滑り止め部材。
【請求項７】
当該粘弾性部材は粘弾性ラバーであることを特徴とする請求項６に記載の弦楽器用ピックの滑り止め部材。
【請求項８】
当該粘弾性部材は粘弾性樹脂であることを特徴とする請求項６に記載の弦楽器用ピックの滑り止め部材。
【請求項９】
当該滑り止め部材は、伸縮性、伸び強度、柔軟性、摩擦力とともに自己粘着性と水洗粘着復帰性とを有するスチレン系エラストマー樹脂であることを特徴とする前記請求項１乃至８の何れかに記載の弦楽器用ピックの滑り止め部材。
【請求項１０】
請求項１乃至９の何れかに記載された滑り止め部材を有する弦楽器用ピック。
【発明の詳細な説明】
【技術分野】
【０００１】
本発明は、ギター、バンジョーおよびマンドリン等の弦楽器の演奏時に使用する弦楽器用ピックの滑り止め部材に関し、特に極めて簡易な構成でありながらピックと演奏者の指とを一体になし得る弦楽器用ピックの滑り止め部材に関する。
【背景技術】
【０００２】
一般的に弦楽器、例えばギターを演奏する場合には、指で弦を弾くフィンガーピッキング奏法とピックと呼ばれる薄片を使用したピック奏法とに大別される。
前記フィンガーピッキング奏法は、クラッシックギターやフラメンコギターを演奏する場合やウェスタンギターでカントリーミュージック、フォークギターでアルペジオ（分散和音）奏法等を行う場合等に多用される。
【０００３】
一方ピック奏法は、エレキギターやフォーク、ウェスタンギターまたはバンジョーやマンドリン等でメロディやリードアドリブを演奏したり、複数の弦を一度に弾くコードストローク奏法を行う場合に多用される。
【０００４】
このピック２０は、一般的には図７に示すように弦当接部５を一部に含む本体部２をプラスティック、セルロイド、亀甲および金属等の薄い板状体を略３角形またはティアドロップ形状に形成したものとなっている。
【０００５】
このような従来のピック２０は、典型的には前記素材を単に薄片に形成したものであって、その表面は平滑となっている。
通常のピック奏法は、このピック２０を親指と人差し指、中指にて把持して弦を弾くものであるが、把持が甘い場合や軽く把持して弦を撫でるように弾く場合等にはピックの表面から指が滑ってしまい、ピックの弦に対する角度が狂ってしまったり、場合によっては弦の張力により指からピックが弾け飛んでしまう恐れを有しており、すなわち演奏性に重大な悪影響を及ぼす欠点を有していた。
【０００６】
このことは、演奏中に汗をかいたりした場合には特におこりやすく、すなわち汗によりピック表面と指はさらに著しく滑りやすくなってしまう欠点を有しているものであった。
【０００７】
このような欠点を改良するために、ピック本体２の表面２１をエンボス加工したり、金属片を表面に貼着した２３ピックも提案されている（例えば実開平５−４７９９３号公報等）が、これらの改良型ピックでは、前記欠点はほんの少しは改善されるものの決定的な欠点解消とはなってはいないものであった。
【０００８】
一方、エレキギターの奏法で、親指を除く他の指でフィンガーボードを叩いて演奏するいわゆるタッピング奏法という演奏方法が近年用いられるようになってきている。このタッピング奏法を行う場合においては一時的に弦を弾くピックは不必要なものとなり、その場合には演奏者は近くの台上にピックを置いたりピックを口にくわえたりすることによって対応しているものであった。
【０００９】
しかしこの場合にはピックを離脱する際に演奏を中断させなければいけないという欠点を有していた。また、前記のようにピックを指から離脱してしまうこととなるため再度ピック奏法に移行するときにはピックを把持するための時間が必要になり、すなわち演奏を中断することを余儀なくされるという著しい不便を強いられているものであった。
【００１０】
また、特にカントリーギター、ウェスタンギターおよびフォークギターでフィンガーピッキング奏法を行う場合には、親指のみが他の指に比較して角度的に弦を弾く力が弱くなってしまう欠点を補うために図５（Ａ）に示すようなサムピック１０と呼ばれるピックを親指に装着する場合がある。
【００１１】
このサムピック１０は、亀甲やプラスティックまたは金属で形成されており、親指の先端付近に巻くようにして指に固定するための指巻部１２が形成された構成となっている。
【００１２】
このように構成されたサムピック１０は、先端の弦当接部分５は弦に対してほぼ垂直に位置するようになるために親指の爪の代用として良好に使用され得るものとなっている。
【００１３】
しかしながら、このような従来のサムピック１０は、指巻部１２の形状が予め成形により決まってしまっているために個々の演奏者の千差万別な指にピッタリとフィットさせることは難しいという欠点を持っていた。
【００１４】
また、演奏中に汗をかいた場合には、親指が指巻部１２より滑って回ってしまったり、無理に指を挿入することにより痛みを伴い長時間の演奏ができなくなるという欠点も併せ有していた。
【００１５】
特にギターのフィンガーピッキング奏法は、音楽というものを表現するために極めてデリケートな感触を要求されるために、指にピッタリとフィットする、換言すると指の一部になりえるサムピックは長年希求されていたものであった。
【００１６】
【特許文献１】実開平５−４７９９３号公報
【発明の開示】
【発明が解決しようとする課題】
【００１７】
本発明の目的は、前述した従来からの問題点を全て解消し、極めて簡易でシンプルな構成でありながら、ピックが指に密着して全く滑らずに実体的にピックと指とを一体に結合することができることにより演奏者の演奏性を著しく向上させ得る弦楽器用ピックの滑り止め部材及び当該滑り止め部材有する弦楽器用ピックを提供するものである。
【００１８】
また本発明の他の目的は、タッピング奏法時においてもピックを手から離脱させることなく親指に物理的に一体に結合させ得ることにより、再度ピック奏法に変更する場合においても演奏を中断することなくスムースに演奏を切り替え得ることを可能とした弦楽器用ピックの滑り止め部材及び当該滑り止め部材有する弦楽器用ピックを提供するものである。
【課題を解決するための手段】
【００１９】
本発明は、上記した目的を達成するために、基本的には、以下に示す様な技術構成を採用するものである。
即ち、本発明に於ける第１の態様としては、弦楽器用ピックのピック本体部の少なくとも一方の面に於ける弦当接部近傍を除く領域部であって、当該弦当接部近傍が当該弦楽器の演奏者の親指の側面部に対向する様に、当該親指が当該ピック本体部に当接される際の当該親指軸に沿った当該領域部に於ける所定部位である把持部分の全面に亘って着脱自在に接触配置されていることを特徴とする弦楽器用ピックの滑り止め部材であり、又本発明に於ける第２の態様としては、当該弦楽器用ピックの弦当接部近傍を除く当該把持部分を覆う第１の筒状部と親指を挿通するための第２の筒状部とを有し、前記第１の筒状部と第２の筒状部とは略直交する位置関係に形成されていることを特徴とする弦楽器用ピックの滑り止め部材であり、更に本発明の第３の態様としては、当該弦楽器用ピックの弦当接部近傍を除く当該把持部分を覆う筒状部を有することを特徴とする弦楽器用ピックの滑り止め部材である。
【発明の効果】
【００２０】
本発明に於ける当該弦楽器用ピックの滑り止め部材は、上記した様な技術構成を採用しているので、ピックが指に密着して全く滑らずに実体的にピックと指とを一体に結合することができることにより演奏者の演奏性を著しく向上させ得る弦楽器用ピックの滑り止め部材を得ることができるという効果を奏するものである。
【発明を実施するための最良の形態】
【００２１】
以下に、本発明にかかる弦楽器用ピックの滑り止め部材の具体例の構成を、図面を参照しながら詳細に説明する。
即ち、図１（Ａ）及び図（Ｂ）は、本発明に係る弦楽器用ピックの滑り止め部材の一具体例の構成を示す図であり、図中、弦楽器用ピック１のピック本体部２の少なくとも一方の面２４に於ける弦当接部５近傍を除く領域部６’であって、当該弦当接部５近傍が当該弦楽器の演奏者の親指７の側面部Ｓに対向する様に、当該親指７が当該ピック本体部２に当接される際の当該親指軸２６に沿った当該領域部６’に於ける所定部位である把持部分６の全面に亘って着脱自在に接触配置されていることを特徴とする弦楽器用ピックの滑り止め部材８が示されている。
【００２２】
本発明に於いて使用される当該ピック１の形状は、特に限定されるものではなく、通常に使用されている形状或は大きさを有するピック１である事が好ましく、例えば、薄い板状体を略３角形またはティアドロップ形状に形成したものであっても良い。
【００２３】
又、本発明に於いて使用される当該ピック１を構成する材料も特に限定されるものではなく、従来一般的に使用されている、プラスティック、セルロイド、亀甲および金属等の薄い板状体で構成されたものであっても良い。
【００２４】
本発明に於ける当該滑り止め部材８は、上記した当該ピック１のピック本体部２に於ける少なくとも一方の表面２４に接圧、粘着、接着、嵌合などの適宜の手段を介して着脱自在に取り付けられる様に構成されたものであって、当該滑り止め部材８は、弦楽器用ピック１のピック本体部２の少なくとも一方の表面２４若しくはその表裏面２４、２５の双方の面に於ける弦当接部５近傍を除く領域部６’であって、当該弦当接部５近傍が当該弦楽器の演奏者の親指７の側面部Ｓに対向する様に、当該親指７が当該ピック本体部２に当接される際の当該親指軸２６に沿った当該領域部６’に於ける所定部位である把持部分６の全面に亘って着脱自在に接触配置されていることが望ましい。
【００２５】
本発明に於ける当該滑り止め部材８を構成する材料は、特に限定されるものではないが、演奏者の指、主に親指の腹部との摩擦性が高く、当該ピックに於ける当該ピック本体部２との把持力を安定化させると共に、当該ピック本体部の把持感触を良好に、当該親指と当該ピックとの一体感を創出出来る様な材料で構成されていることが望ましい。
【００２６】
例えば、伸縮性、伸び強度、柔軟性および摩擦力を有する粘弾性部材にて形成されていることが好ましく、より望ましくは、伸縮性、伸び強度、柔軟性、摩擦力とともに自己粘着性と水洗粘着復帰性とを有する材料によって形成されるものである。
【００２７】
次に、本発明に於ける当該滑り止め部材８の他の具体例を、図２を参照しながら詳細に説明する。
即ち、本具体例では、当該滑り止め部材８は、当該弦楽器用ピック１の弦当接部５近傍を除く当該ピック本体部２に於ける領域部６’に対応する当該把持部分６を全面的に覆う様に構成された筒状部９の形成を有することを特徴とするものである。
【００２８】
本具体例では、当該滑り止め部材８は、当該ピック本体部２の表裏両面２４、２５を双方に於ける当該把持部分６の全面を着脱自在に接触配置されうるように構成されている。
【００２９】
従って、本具体例では、当該滑り止め部材８は、少なくとも適度の伸縮性を有する材料で当該ピック本体部２の幅よりも短い直径を有する筒状部９を形成するものであり、当該筒状部９を指で伸張させながら広げて当該ピック本体部２の両面２４、２５に於ける当該把持部分６の全面を被覆するように被せるものである。
【００３０】
従って、当該筒状部９の長さは、使用されるピック１の当該ピック本体部２に於ける当該把持部分６の幅に応じて設計する事が可能である。
当該具体例に於いて使用される当該筒状部６は、その断面形状は円形でなくとも良く、楕円形や扁平形、矩形、半円形等如何なる断面形状を採用する事が可能である。
【００３１】
又、本具体例に於ける当該滑り止め部材８はその厚さも適宜決定する事が可能である。
本具体例に於ける筒状部９に構成された当該滑り止め部材８は、上記具体例を同様に、伸縮性、伸び強度、柔軟性および摩擦力を有する粘弾性部材にて形成されていることが好ましく、更には、当該粘弾性部材は粘弾性ラバーであっても良く或は粘弾性樹脂であっても良い。
【００３２】
一方、本具体例で使用される当該滑り止め部材８を構成する材料は、伸縮性、伸び強度、柔軟性、摩擦力とともに自己粘着性と水洗粘着復帰性とを有するスチレン系エラストマー樹脂であることも好ましい。
【００３３】
本具体例に於いて使用される本発明に係る当該滑り止め部材８を構成するスチレン系エラストマー樹脂としては、例えば、アロン化成株式会社が製造販売している製品番号ＡＲ−Ｓ−４８５１Ｆ、ＡＲ−ＳＣ−４０、ＡＲ−Ｓ−４０２０Ｄ、ＡＲ−Ｓ−４０２０Ａ、ＡＲ−９０００、ＡＲ−１２０７、ＡＲ−ＢＯＥ−３５、５５、７５、ＡＲ−ＢＯＩ−６０、７５等が使用出来る。
【００３４】
なお、前記説明においては、筒状部の好適な材料としてスチレン系エラストマー樹脂を例に説明したがこれに限定されるものではなく、伸縮性、伸び強度、柔軟性および摩擦力を有する粘弾性部材であれば粘弾性樹脂系のシリコン樹脂、含水性エラストマー樹脂等、また粘弾性ラバー系のラテックスゴム、シリコンラバー等上記樹脂と同等或は均等の特性を有する樹脂材料であればいかなるものであっても良い。
【００３５】
尚、上記したスチレン系エラストマー樹脂は、水分を含むと粘性が大きくなると言う性質を有しているので、例えば親指の腹部に汗が付いた場合に滑りをより効果的に抑制できる。
【００３６】
更に、当該スチレン系エラストマー樹脂は、透明性を有している事も望ましく、当該ピック本体部２の材質の色彩、模様等が外部から確認できるので演奏時の取り違いが防止出来ると共に、美観を維持できると言う効果がある。
【００３７】
上記した当該滑り止め部材８の製造原料は、前記した第１の具体例に於いても当然使用されるものである。
又、本具体例における当該滑り止め部材８の上に適宜の模様、マーク、商標、使用者の個人名、或は製造者名等を、上記樹脂を用いて当該滑り止め部材８を成型する際に同時に形成しておく事も望ましい。
【００３８】
本具体例では、上記した材料を用いて当該滑り止め部材８を形成しているので、当該滑り止め部材８が汚れた場合には、ピックごと水洗することによって汚れを除き、その後乾燥させる事によって、新品同様の感覚で使用出来更には繰り返し使用する事が可能である。
【００３９】
一方、本具体例では、当該滑り止め部材８が汚れた場合或は使用不能となるか、一部が破損したような場合には、当該筒状部９を伸張させながら当該ピック本体部２の当該把持部分６から剥離させて取り外し、水洗等の所定の洗浄工程に送って適宜の洗浄処理を行い、再び当該ピック本体部に取り付ける事が出来る。
【００４０】
この実施例における演奏方法は従来のピック奏法と同様で、親指の腹と人差し指の側面にてピック（２）を把持してピック奏法を行う。
このとき、ピック（２）の把持部（６）には滑り止め部材（８）が略全面に渡って覆っているため、ピック（２）と指とは粘弾性ラバーの作用により一体に結合される。この作用によりピックが汗で滑ったり、把持の甘さで弾け飛ぶといった恐れは皆無となる。
【００４１】
次に、本発明に係る当該滑り止め部材８の、更に他の具体例を、図３及び図４を参照しながら詳細に説明する。
【００４２】
即ち、本発明に於ける当該滑り止め部材８の更に他の具体例としては、当該弦楽器用ピック１の弦当接部近傍５を除く当該把持部分６を覆う第１の筒状部３と親指７を挿通するための第２の筒状部４とを有し、当該第１の筒状部３と第２の筒状部４とは略直交する位置関係に形成されていることを特徴とする弦楽器用ピックの滑り止め部材８である。
【００４３】
即ち、本具体例では、当該ピック本体部２を挿入して固定する為の第１の筒状部３と親指７を挿通するための第２の筒状部４との２つの筒状部を適宜の接着剤や超音波溶着等の手段を利用して連結、結合或は接合するなどの方法を利用して一体化して併用するものであり、
勿論、本具体例に於ける当該第１の筒状部３と第２の筒状部４とは、図４に示す様に、樹脂成型するに際して一体的に形成されることも好ましい具体例である。
また、前記第１の実施例の説明においては、第１の筒状部と第２の筒状部とは一体に形成されたものであっても良いが、この２つの筒状部を上記した様に適宜の接合手段によって結合させたものであっても良い。
【００４４】
当該両者の位置関係は、当該第１の筒状部３に於ける当該ピック１の挿入方向３０と当該第２の筒状部４に於ける親指７の挿入方向３１とが略直角となる様に設定されている事が望ましい。
【００４５】
又、本具体例に於ける当該第１の筒状部３の断面形状と当該第２の筒状部４の断面形状とは、特に限定されるものではないが、当該第１の筒状部３の断面形状は、上記した具体例に於ける場合と同様である事が望ましく、一方、当該第２の筒状部４の断面形状は、演奏者の親指の断面形状に比べて若干小さい断面形状であることが好ましい。
【００４６】
更に、本具体例に於ける当該滑り止め部材８の材料も、前記した具体例で使用されたものと同一である事が望ましい。
従って、本具体例でも、当該滑り止め部材８に於ける、両筒状部３、４は共に伸縮可能であるので、当該ピック本体部２と緊密に係合接合出来、同時に演奏者の親指とも緊密に且つ安定的に固定接合する事が可能となる。
【００４７】
上記した通り、図４は本具体例に於いて使用される当該滑り止め部材８の斜視図であり、図３は、本具体例の当該滑り止め部材８を演奏者の親指に装着した状態を示す斜視図である。
【００４８】
図４に於いて、８は弦楽器用ピック１の滑り止め部材を示す。この弦楽器用ピック１の滑り止め部材８は、ピック本体部２を挿通するための第１の筒状部３と、親指７を挿通するための第２の筒状部４とを有している。
前記第１の筒状部３は、ピック１の弦当接部近傍５を除く領域部６’である把持部６の全面を覆うように形成されている。
【００４９】
次に前記のように構成した本発明弦楽器用ピック１の滑り止め部材８の使用方法および作用を説明する。
まず、第１の筒状部３を指で拡げてピック本体部２の把持部６に覆い被せる。その後第２の筒状部４を拡げるように拡張して親指７を挿通する。
【００５０】
この操作により、ピック１は図３に示すように親指７に物理的に一体に結合される。
弦楽器の演奏を行う場合には、ピック１のピック本体部２に於ける当該把持部６を親指７の腹と図示していない人差し指の側面で挟むように把持してピック奏法を行う。
【００５１】
演奏中にタッピング奏法に変更する場合においては、親指７を弦から離して他の指にてフィンガーボードを叩いて演奏を行う。このとき、ピック１は図３に示すように親指７に物理的に一体に結合されているため何の支障もなくタッピング奏法への移行が可能となる。
【００５２】
その後、再度ピック奏法に移行する場合には、そのまま親指７と人差し指とで把持するのみで即座にピック奏法に移行することが可能となる。
次に図面第５図および第６図を参照して本発明弦楽器用ピックの滑り止め部材の第３の実施例の説明をするが前記第１の実施例と同一部分には同一符号を付してその説明は省略する。
【００５３】
即ち、本具体例に於ける当該滑り止め部材８は、当該弦楽器用ピックがサムピック用に使用されるものであって、当該サムピック１０は、本体部２及び指巻部１２とから構成されており、当該弦当接部近傍５を除く本体部２の当該把持部分６と当該指巻部１２とを個別に或は全体的に覆う筒状部９を有することを特徴とする弦楽器用ピックの滑り止め部材８である。
【００５４】
即ち、図５において、１０は弦楽器用ピックであるサムピックを示し、１１は弦楽器用ピックの滑り止め部材を示す。この滑り止め部材１１は、サムピック１０の弦当接部５を除く指巻部１２及び／又はサムピック１０のピック本体部２を覆う筒状部１３を有している。
【００５５】
又、本具体例に於ける当該滑り止め部材１１を構成する当該筒状部１３の断面形状や大きさ長さ等は特に限定されるものではないが、当該筒状部１３の断面形状は、当該サムピック１０の当該ピック本体部２の断面形状及びその長さ或は当該サムピック１０の指巻部１２の断面形状部及びその長さ等によって適宜決定すればよい。
【００５６】
一方、当該指巻部１２の湾曲状形状は、演奏者の親指の断面形状に略対応した形状を有している事が好ましい。
更に、本具体例に於ける当該滑り止め部材１１の材料も、前記した具体例で使用されたものと同一である事が望ましい。
【００５７】
従って、本具体例でも、当該滑り止め部材１１に於ける、当該筒状部１３は伸縮可能であるので、当該サムピック１０のピック本体部２及び指巻部１２と緊密に係合接合出来、同時に演奏者の親指とも緊密に且つ安定的に固定接合する事が可能となる。
【００５８】
本具体例では、当該筒状部１３の長さは、当該サムピック１０の指巻部１２にのみ被覆する場合と、当該サムピック１０のピック本体部２にのみ被覆する場合と、当該サムピック１０の当該ピック本体部２と当該指巻部１２とを連続して被覆する場合によってそれぞれ異なってくる。
【００５９】
勿論、本具体例では、当該サムピック１０の当該ピック本体部２と当該指巻部１２とを別々に同時に被覆するように構成するものであっても良い。
次に前記のように構成した本具体例に於ける弦楽器用ピックの滑り止め部材１１の使用方法および作用を説明する。
【００６０】
まず、長く形成した筒状部１３を指で拡げてサムピック１０の指巻部１２及び当該サムピック１０のピック本体部２の双方を一本の滑り止め部材１１である当該筒状部１３で覆い被せる。
この操作により、図６に示す様に、サムピック１０には弦当接部５近傍を除いて滑り止め部材１１が覆い被せられる。
【００６１】
この実施例における演奏方法は従来のサムピック奏法と同様で、親指７を指巻部１２とピック本体部２との間に挿通固定して演奏を行う。
なお、１４、１４’・・は弦を示す。
このとき、サムピック１０の指巻部１２及び当該ピック本体部２には滑り止め部材１１が略全面に渡って覆われているため、サムピック１０と親指７とは粘弾性ラバーの作用により一体に結合される。
【００６２】
この作用によりピックが汗で回ってしまうということは可及的に防止される。
また滑り止め部材１１は、粘弾性を有するラバーであるため、指と指巻部１２との緩衝層となり、長時間の演奏を行っても指が痛くなりにくい効果を有する。
【００６３】
尚、本具体例では、図５（Ｃ）に示す様に、一本の長い当該筒状部１３を当該サムピック１０の指巻部１２及びピック本体部２とに同時に被せるのではなく、サムピックへの装着を容易にするために、下面側のピック本体部２に装着する滑り止め部材１３と上面側の指巻部１２に装着するための滑り止め部材１３とを比較的短い長さの当該筒状部１３を使用して個別に被せる様にしたものであっても良い。
【００６４】
本発明に於ける更に別の態様としては、上記したそれぞれの滑り止め部材８或は１１が接合されている滑り止め部材を有する弦楽器用ピック１或はサムピック１０である。
【００６５】
発明の効果
以上の説明で明らかな通り、本発明に係る弦楽器用ピック１の滑り止め部材８、１１によれば、ピック１の把持部６に伸縮性、伸び強度、柔軟性および摩擦力を有する粘弾性部材にて形成された滑り止め部材８、１１が覆うこととなるため、ピック１と指とは粘弾性部材の粘着作用により一体に結合されるため、ピック１が演奏中に汗で滑ったり把持の甘さで弾け飛ぶといった恐れは皆無となる実用上の著効を奏する。
【００６６】
また、付随的な効果として、ピック１を台上に載置した場合にピック１が台上を滑って移動することを防ぎ、さらに筒状部の作用により薄片であるピック１が台上から取りやすくなる実用上の効果を併せ有する。
【００６７】
また、第２の具体例のように、ピック１の把持部を覆う第１の筒状部３と親指を挿通させる第２の筒状部４とを直交させる構成にした弦楽器用ピック１の滑り止め部材によれば、ピック１は演奏者の親指に物理的に一体に結合されることとなるため、ピック奏法からタッピング奏法へ移行する場合にはピック１を離脱させる必要が無く、すなわち演奏を中断することなく極めてスムースに移行させることが可能となる。またその後再度ピック奏法に移行する場合にもピックと親指とは物理的に一体に結合されているためそのまま人差し指で把持するのみで演奏を中断することなく極めてスムースにかつ即座にピック奏法に移行することが可能となる効果を有する。
【００６８】
つまり、タッピング奏法時においてもピックを手から離脱させることなく親指に物理的に一体に結合させ得ることにより、再度ピック奏法に変更する場合においても演奏を中断することなくスムースに演奏を切り替え得ることを可能とした弦楽器用ピックの滑り止め部材を得る事ができる。
【００６９】
さらに、当該具体例のように第１の筒状部３と第２の筒状部４とを一体に形成すると、安価で極めて利便性の高い弦楽器用ピックの滑り止め部材８を得ることが可能となる。
【００７０】
一方、第３の具体例に於いては、当該滑り止め部材８は、薄い膜状体であり柔軟性を有しているので使用中に演奏者の指が痛くなる事はなく、又、当該滑り止め部材８は摩擦性を有しているので当該ピックが指先で回ってしまう事もない。
【００７１】
また、上記した全ての具体例で示す様に筒状部の材料としてスチレン系エラストマー樹脂を使用すると、伸縮性、伸び強度、柔軟性および摩擦力の他に快い触感を得ることができ、さらにこのスチレン系エラストマー樹脂は自己粘着性を有しているため、指との一体感はさらに緊密になる効果を有する。
【００７２】
また、特にこのスチレン系エラストマー樹脂は、水洗いを行うことにより汚れが落ち、また粘着性も回復するという特性を有しているため、長期間に亘り指との一体効果が持続し、かつ清潔感を保てるという著効を奏するものである。
【図面の簡単な説明】
【００７３】
【図１】図１は、本発明に於ける弦楽器用ピックの滑り止め部材の１具体例の構成の概略を示す図である。
【図２】図２は、本発明に於ける弦楽器用ピックの滑り止め部材の別の具体例の構成の概略を示す図である。
【図３】図３は、本発明に於ける弦楽器用ピックの滑り止め部材の更に別の具体例の構成の概略を示す図である。
【図４】図４は、本発明に於ける弦楽器用ピックの滑り止め部材の更に別の具体例の構成の概略を示す図である。
【図５】図５は、本発明に於ける弦楽器用ピックの滑り止め部材の他の具体例の構成の概略を示す図である。
【図６】図６は、本発明に於ける弦楽器用ピックの滑り止め部材の他の具体例の構成の概略を示す図である。
【図７】図７は、従来の弦楽器用ピックの構成の概略を示す図である。
【符号の説明】
【００７４】
１、２０．  ピック
２．  ピック本体部
３．  第１の筒状部
４．  第２の筒状部
５．  弦当接部
６．  把持部
６’．  領域部
７．  親指
８．  弦楽器用ピックの滑り止め部材
９．  筒状部
１０．  サムピック
１１．  弦楽器用ピックの滑り止め部材
１２．  指巻部
１３．  筒状部
１４．  弦
２４．  ピック本体部の第１の面
２５．  ピック本体部の第２の面
２６．  親指軸
Ｓ．  親指の側面
【図１】
2008310011.tif 000003
【図２】
2008310011.tif 000004
【図３】
2008310011.tif 000005
【図４】
2008310011.tif 000006
【図５】
2008310011.tif 000007
【図６】
2008310011.tif 000008
【図７】
2008310011.tif 000009
【手続補正書】
【提出日】平成19年7月6日(2007.7.6)
【手続補正１】
【補正対象書類名】図面
【補正対象項目名】図１
【補正方法】変更
【補正の内容】
【図１】
2008310011.tif 000010